(57)【特許請求の範囲】
【請求項１】
車両のサンルーフ装置においてルーフパネルから滴下する水を受けるようにルーフパネルの後縁の下方に位置し、ルーフパネルと連動するドレンスライダに取り付けられて車両前後方向に移動するドレンチャンネルの構造であって、
ドレンチャンネルを、ルーフパネルの後縁に沿って車幅方向に延設される一定断面の中央部と、ルーフパネルのコーナー部の下方に位置してドレンスライダに取り付けられる不定断面の一対の端部とを各々別体に成形して分割構成したことを特徴とするサンルーフ装置のドレンチャンネル構造。
【請求項２】
前記ドレンチャンネルの中央部を樹脂部材とし、前記一対の端部を金属板部材としたことを特徴とする請求項１に記載のサンルーフ装置のドレンチャンネル構造。
【請求項３】
前記ドレンチャンネルの中央部は、少なくとも車両前後方向前寄りの壁部が中空閉断面形状に成形されていることを特徴とする請求項２に記載のサンルーフ装置のドレンチャンネル構造。
【請求項４】
前記ドレンチャンネルの中央部を金属板部材とし、前記一対の端部を樹脂部材としたことを特徴とする請求項１に記載のサンルーフ装置のドレンチャンネル構造。
【発明の詳細な説明】
【技術分野】
【０００１】
本発明は、車両のサンルーフ装置におけるドレンチャンネル構造に関する。
【背景技術】
【０００２】
ルーフパネルをチルトダウンさせて後方にスライドさせる、いわゆるインナスライド式のサンルーフ装置では、ルーフパネルの表面に雨滴などが付着しているとチルトダウン時に水滴がルーフパネルの後縁から室内側に滴下するため、これを受ける部材として、ルーフパネルと連動してルーフパネルの後縁の下方に常に位置するドレンチャンネルが設けられている（例えば、特許文献１参照）。
【０００３】
図５において、（ａ）はドレンチャンネルの一従来例の外観斜視図、（ｂ）はドレンチャンネルをＡ−Ａ断面視したときのルーフパネルや内装板との位置関係を示す側面図である。ドレンチャンネル３１は車幅方向に延設される長尺の一体成形の部材であって、鋼板のプレス加工品からなる。ルーフパネル３２からの水を受けるように断面形状は凹状を呈しており、ルーフパネル３２の後縁に沿って形成される中央部３１ａが一定の凹状断面であるのに対し、端部３１ｂ周りは、ルーフパネル３２のＲ形状のコーナー部に合わせることとガイドレールをスライドするドレンスライダ（図示せず）に取り付けることの２点により、不定断面で曲げ部の多い形状となっている。
【０００４】
また、ルーフパネル３２が閉じたときや換気などの目的で図５（ｂ）に示すようにチルトアップさせた状態のときには、ドレンチャンネル３１の中央部３１ａの前縁部は内装板３３の開口部に臨む位置にある。人によってはこの中央部３１ａの前縁部に手を掛ける状況も想定されるため、手の保護のために前縁部にはゴム材などからなるガード部材３４が取り付けられている。
【特許文献１】実用新案登録第２５９７０８６号公報
【発明の開示】
【発明が解決しようとする課題】
【０００５】
前記したように端部３１ｂ周りはルーフパネル３２のコーナー部やドレンスライダに合わせた不定断面で曲げ部の多い形状であるため中央部３１ａに比べて曲げ加工が困難であり、曲げの不具合や型抜き時のダレなどが単発的に生じやすい。従来のドレンチャンネル３１は中央部３１ａと一対の端部３１ｂとが一体成形された部材であるから、例えば前記曲げの不具合等が一方の端部３１ｂのみに生じた場合であってもドレンチャンネル３１全体の歩留まり低下となってしまう。
【０００６】
また、車種の違い等によりルーフパネル３２の幅寸法（車幅方向の寸法）が異なる複数の仕様が存在する場合、ドレンチャンネル３１も各ルーフパネル３２の幅寸法に合わせた長さのものを複数揃える必要があるため、製造コストが嵩み、部品管理の手間にもつながる。
【０００７】
ガード部材３４を設けた点についても、部品点数および組み付け工数の増加となり製造コストが嵩む要因となる。
【０００８】
本発明は、以上のような問題を解決するために創作されたものであり、ドレンチャンネルの製造コストの低減が図れるサンルーフ装置のドレンチャンネル構造を提供することを目的としている。
【課題を解決するための手段】
【０００９】
本発明は、前記課題を解決するため、車両のサンルーフ装置においてルーフパネルから滴下する水を受けるようにルーフパネルの後縁の下方に位置し、ルーフパネルと連動するドレンスライダに取り付けられて車両前後方向に移動するドレンチャンネルの構造であって、ドレンチャンネルを、ルーフパネルの後縁に沿って車幅方向に延設される一定断面の中央部と、ルーフパネルのコーナー部の下方に位置してドレンスライダに取り付けられる不定断面の一対の端部とを各々別体に成形して分割構成したことを特徴とする。
【００１０】
このドレンチャンネル構造によれば、中央部と一対の端部とを各々別体に成形したので、不具合の生じやすい端部のみの歩留まり低下で済み、成形上の不具合が殆ど生じない一定断面形状の中央部を無駄にすることなく有効に使用できる。また、車種の違い等によりルーフパネルの幅寸法が異なる複数の仕様が存在する場合、端部を共用し、中央部のみ長さの異なるものを複数用意して使用することにより、ドレンチャンネルの製造コストを抑えることができる。
【００１１】
また本発明は、前記ドレンチャンネルの中央部を樹脂部材とし、前記一対の端部を金属板部材としたことを特徴とする。
【００１２】
このドレンチャンネル構造によれば、重量の占める割合の大きい中央部を樹脂部材とすることでドレンチャンネルの重量軽減を図ることができる。樹脂部材であるため、手を保護するゴム材などのガード部材を別途設ける必要もない。端部については、不定断面で曲げ部が多い複雑な形状の部材であるため樹脂部材とすると金型が複雑になりやすい。そのため、金型が簡易で済むプレス加工の可能な金属板部材とすることでドレンチャンネルの製造コストを抑えることができる。
【００１３】
また本発明は、前記ドレンチャンネルの中央部は、少なくとも車両前後方向前寄りの壁部が中空閉断面形状に成形されていることを特徴とする。
【００１４】
このドレンチャンネル構造によれば、少なくとも車両前後方向前寄りの壁部に中空閉断面形状を設けたことにより、人が手をかけて体重をかけたときなどに起きる捻れ剛性の問題が解決される。
【００１５】
また本発明は、前記ドレンチャンネルの中央部を金属板部材とし、前記一対の端部を樹脂部材としたことを特徴とする。
【００１６】
このドレンチャンネル構造によれば、中央部において一層の強度を確保でき、また、端部の製造歩留まりを向上させることができる。
【発明の効果】
【００１７】
本発明によれば、不具合の生じやすい端部のみの歩留まり低下で済み、成形上の不具合が殆ど生じない一定断面形状の中央部を無駄にすることなく有効に使用でき、また、ルーフパネルの幅寸法が異なる複数の仕様が存在する場合、中央部のみ長さの異なるものに代えればよいので他機種への汎用性に優れた構造となる。
【発明を実施するための最良の形態】
【００１８】
図１はサンルーフ装置の平面説明図である。サンルーフ装置１はいわゆるインナスライド式であって、クローズ時には固定ルーフ２に形成された矩形状の開口部を閉塞し、チルトアップ時には後縁側がチルトアップして開口部後方を開き、スライドオープン時には後縁側がチルトダウンして後方に移動するルーフパネル３（図１では仮想線で示す）を備える。ルーフパネル３は例えばガラス製パネルである。
【００１９】
ルーフパネル３の両側縁の下方には車両前後方向に延設される一対のガイドレール４が位置しており、それぞれの前端同士、後端寄り同士が前部フレーム５、後部フレーム６で連結されている。ルーフパネル３の後縁の下方には本発明に係るドレンチャンネル７が位置する。
【００２０】
図２はチルトスライド機構の一例を示す側面図である。ルーフパネル３の側縁部の下面には接着材等によりパネル支持ブラケット１１が固設され、このパネル支持ブラケット１１にボルト等によりパネル支持ステー１２が固定されている。パネル支持ステー１２は、ガイドレール４にガイドされて車両前後方向にスライドする前スライダ１３と後スライダ１４に連結される。パネル支持ステー１２の前端は前スライダ１３に回転可能に支持され、パネル支持ステー１２の後方寄りに形成したチルトアップおよびチルトダウン用のカム溝１２ａに後スライダ１４の係合ピン１４ａが係合している。後スライダ１４には図示しないプッシュプルケーブルが連結され、プッシュプルケーブルの駆動により後スライダ１４および前スライダ１３がスライドし、その際カム溝１２ａと係合ピン１４ａのカム作用によりルーフパネル３がチルトアップ或いはチルトダウンする。
【００２１】
ガイドレール４上において、後スライダ１４の後方にはロッド１５を介してパネル支持ステー１２に連結されたドレンスライダ１６が位置する。図２から判るようにドレンスライダ１６は側面視してルーフパネル３の後縁の下方に位置し、ルーフパネル３に連動して車両前後方向に移動する。ドレンスライダ１６の上部には、ドレンチャンネル７を載置するための凹状の支持部１６ａが形成されるとともに、ドレンチャンネル７の係合孔７４（図３）に係合してドレンチャンネル７を固定する係合フック１６ｂが設けられている。
【００２２】
図３はドレンチャンネル７の外観斜視図である。左右のドレンスライダ１６には、ルーフパネル３の後縁の下方に位置してその後縁から滴下する水を受けるドレンチャンネル７が掛け渡され、前記した係合フック１６ｂによりドレンスライダ１６に固定される。本発明は、ドレンチャンネル７を、ルーフパネル３の後縁に沿って車幅方向に延設される一定断面の中央部７１と、ルーフパネル３のコーナー部の下方に位置してドレンスライダ１６に取り付けられる車幅方向に関して不定断面の一対の端部７２、７３とを各々別体に成形して分割構成したことを主な特徴とする。
【００２３】
図３では、中央部７１を樹脂部材とし、一対の端部７２、７３を鋼板などの金属板部材とした例を示している。端部７２、７３は左右対称形である。中央部７１は水を受けるように断面凹状に形成されて車両前後方向前寄りおよび後寄りに前壁部７１ａ、後壁部７１ｂが形成される。中央部７１の前縁には人が手をかけ、その際体重をかけることも想定されるので、少なくとも前壁部７１ａを中空閉断面部７１ｃを有する形状に成形して中央部７１の捻れ剛性を高めることが好ましい。図３では、後壁部７１ｂにも中空閉断面部７１ｄを設けて中央部７１の捻れ剛性をさらに高めている。
【００２４】
図４は中央部７１と端部７２、７３との連結部の一例を示す側断面図である。この例では、端部７２または端部７３の凹部に水密用のシール材１７を介在させたうえで中央部７１の左右端周りを載置した例を示している。シール材１７としては自身が接着剤として機能するものが好ましく、ブチルゴム系やシリコンゴム系のものが適している。連結態様はこの他にも、例えば中央部７１の左右端に端部７２、７３を載置する態様や、中央部７１の左右端面に端部７２、７３の縁を差し込む溝を形成し、この溝に端部７２、７３の縁を圧入嵌合させる態様などがある。
【００２５】
端部７２、７３はルーフパネル３（図１）のコーナー部やドレンスライダ１６に合わせた不定断面で曲げ部の多い形状であるため曲げ加工など成形加工が困難であり、中央部７１に比べて端部７２、７３には成形上の不具合が単発的に生じやすい。これに対して本発明は、中央部７１と端部７２、７３とを各々別体に成形したので、不具合が生じた端部７２或いは端部７３のみの歩留まり低下で済み、成形上の不具合が殆ど生じない一定断面形状の中央部７１を無駄にすることなく有効に使用できる。
【００２６】
また、車種の違い等によりルーフパネル３（図１）の幅寸法（車幅方向の寸法）が異なる複数の仕様が存在する場合、ルーフパネル３のコーナー部のＲ形状はさほど変わることがないので、端部７２、７３を共用し、中央部７１のみ長さの異なるものを複数用意して使用することにより、ドレンチャンネル７の製造コストを抑えることができる。
【００２７】
さらに、重量の占める割合の大きい中央部７１を樹脂部材とすることでドレンチャンネル７の重量軽減を図ることができる。また、樹脂部材であるため、手を保護するゴム材などのガード部材を別途設ける必要もない。端部７２、７３については、前記したように不定断面で曲げ部が多く、係合孔７４などを有した複雑な形状の部材であるため樹脂部材とすると金型が複雑になりやすい。そのため、製造歩留まりの問題はあるものの、金型が簡易で済むプレス加工の可能な金属板部材とすることでドレンチャンネル７の製造コストを抑えることができる。
【００２８】
さらに、少なくとも車両前後方向前寄りの壁部（前壁部７１ａ）を中空閉断面形状に成形することで、人が手をかけて体重をかけたときなどに起きる中央部７１の捻れが抑制される。
【００２９】
以上、本発明の最良の実施形態を説明した。中央部７１に一層の強度が必要な場合で、端部７２、７３を樹脂成形で安価に製造可能であるならば、中央部７１を金属板部材とし、端部７２、７３を樹脂部材としてもよい。その他、本発明は、図面に記載されたものに限定されることなく、その趣旨を逸脱しない範囲で様々な設計変更が可能である。
【図面の簡単な説明】
【００３０】
【図１】本発明に係るサンルーフ装置の平面説明図である。
【図２】チルトスライド機構の一例を示す側面図である。
【図３】本発明に係るドレンチャンネルの外観斜視図である。
【図４】中央部と端部との連結部の一例を示す側断面図である。
【図５】（ａ）はドレンチャンネルの一従来例の外観斜視図、（ｂ）はＡ−Ａ断面視したときのルーフパネルや内装板との位置関係を示す側面図である。
【符号の説明】
【００３１】
１      サンルーフ装置
３      ルーフパネル
４      ガイドレール
７      ドレンチャンネル
１６      ドレンスライダ
７１      中央部
７１ｃ、７１ｄ  中空閉断面部
７２、７３  端部
【図１】
0005086890.tif 000002
【図２】
0005086890.tif 000003
【図３】
0005086890.tif 000004
【図４】
0005086890.tif 000005
【図５】
0005086890.tif 000006